(57)【要約】【課題】少ない操作で複雑な認証情報を入力でき、認証情報をユーザが記憶しやすい傾動式表示装置付電子機器、その制御方法及び制御プログラムを提供する。【解決手段】傾動可能な表示パネル１１を備えた電子機器であって、表示パネル１１の傾動角度を検出する角度検出部１２０と、表示パネル１１の傾動角度を、盗難防止コードとして記憶する記憶部１０４と、角度検出部１２０により検出された傾動角度と、記憶部１０４に記憶された認証情報とが一致するか否かを判定する判定部１０６と、を有する。【選択図】図３
2008247306.tif 000002
【特許請求の範囲】
【請求項１】
傾動可能な表示装置を備えた電子機器において、
前記表示装置の傾動角度を検出する検出手段と、
前記表示装置の傾動角度を、認証情報として記憶する記憶手段と、
前記検出手段により検出された傾動角度と、前記記憶手段に記憶された認証情報とが一致するか否かを判定する判定手段と、
を有することを特徴とする傾動式表示装置付電子機器。
【請求項２】
前記判定手段により認証情報が一致しないと判定された場合には、電子機器の機能の一部若しくは全部を抑止し、認証情報が一致すると判定された場合には、電子機器の機能を有効とする機能制御部を有することを特徴とする請求項１記載の傾動式表示装置付電子機器。
【請求項３】
前記記憶手段に記憶される認証情報は、前記検出手段により検出された傾動角度であることを特徴とする請求項１又は請求項２記載の傾動式表示装置付電子機器。
【請求項４】
前記認証情報は、複数の傾動角度の組み合わせであることを特徴とする請求項１〜３のいずれか１項に記載の傾動式表示装置付電子機器。
【請求項５】
前記表示装置に、前記傾動角度の目安を表示させる表示制御手段を有することを特徴とする請求項１〜４のいずれか１項に記載の傾動表示装置付電子機器。
【請求項６】
前記電子機器に、前記傾動角度の目安が付されていることを特徴とする請求項１〜５のいずれか１項に記載の傾動表示装置付電子機器。
【請求項７】
傾動可能な表示装置を備えた電子機器の制御方法において、
コンピュータ又は電子回路が、検出手段と、記憶手段と、判定手段と、抑止手段とを有し、
前記検出手段が、前記表示装置の傾動角度を検出し、
前記記憶手段が、前記表示装置の傾動角度を、認証情報として記憶し、
前記判定手段が、前記検出手段により検出された傾動角度と、前記記憶手段に記憶された認証情報とが一致するか否かを判定することを特徴とする傾動式表示装置付電子機器の制御方法。
【請求項８】
傾動可能な表示装置を備えた電子機器を、コンピュータにより制御させる電子機器の制御プログラムにおいて、
前記コンピュータに、
前記表示装置の傾動角度を検出させ、
前記表示装置の傾動角度を、認証情報として記憶させ、
検出された傾動角度と、記憶された認証情報とが一致するか否かを判定させることを特徴とする傾動式表示装置付電子機器の制御プログラム。
【発明の詳細な説明】
【技術分野】
【０００１】
本発明は、傾動式の表示装置を備えた電子機器に係り、特に、認証機能を備えた傾動式表示装置付電子機器、その制御方法及び制御プログラムに関するものである。
【背景技術】
【０００２】
近年、車載用の電子機器は多機能化が進んでおり、その利用可能な記録媒体が、ＣＤやＭＤ等の音響用ばかりでなく、ＤＶＤ、ＣＤ−ＲＯＭといった映像用のものにまで広がっている。これと同時に、従来の機能表示のみの表示装置ではなく、ナビゲーション用の画像、ＴＶやＤＶＤの映像等の種々の表示ができるように、比較的大型の表示装置を備えた車載用電子機器が一般的になりつつある。
【０００３】
但し、車内の限られたスペースでは、大型化には限界がある。そこで、小さなスペースで、できる限り大型の表示装置を使用できるように、種々の工夫が行われている。例えば、通常の視聴時には表示装置が正面に向かっているが、ディスクを挿入・排出する場合には、表示装置が傾くように動作（傾動）して、機器の前部に形成されたディスク挿入口が露出するようにしたものが開発されている。
【０００４】
ところで、車載用の電子機器は、高価で取り引されるため、盗難に遭う可能性が高い。これに対処するため、多くの車載用の電子機器は、盗難防止機能を備えている。例えば、盗難防止用に数字・文字等による暗証コードを入力して、一致すれば動作可能状態となるが、一致しなければ使用できないようにしたものがある。
【０００５】
この暗証コードを入力する方法としては、タッチパネルがある機器では、タッチパネル上でのテンキー入力により、タッチパネルがない機器では表示されたテンキーと操作ボタンを兼用して行われるのが、一般的である（特許文献１参照）。
【０００６】
【特許文献１】特開２００２−２１１３６０号公報
【発明の開示】
【発明が解決しようとする課題】
【０００７】
ところで、かかる暗証コードは、類推しやすいものを使用していた場合には、盗用され易い。これに対処するため、タッチパネル上で入力できる数字・文字の種類を増やして複雑化することも考えられる。しかし、車載用の表示装置では、表示画面の大きさには限界がある一方で、指を使用した操作を可能とするためには入力キーを小さくすることも難しい。このため、一画面でキー数を増やすことは困難である。
【０００８】
暗証コードの桁数を増やすことによって複雑化を実現できるが、キーを押す回数が増えて操作が煩雑であり、暗証コードが長くなるためにユーザが記憶し難い。さらに、表示画面をスクロールさせることによって、多くの情報を表示させることができるが、操作回数が増え、やはり煩雑となる。
【０００９】
本発明は、上記のような従来技術の問題点を解決するために提案されたものであり、その目的は、少ない操作で複雑な認証情報を入力でき、認証情報をユーザが記憶しやすい傾動式表示装置付電子機器、その制御方法及び制御プログラムを提供することにある。
【課題を解決するための手段】
【００１０】
以上のような目的を達成するために、請求項１の発明は、傾動可能な表示装置を備えた電子機器において、前記表示装置の傾動角度を検出する検出手段と、前記表示装置の傾動角度を、認証情報として記憶する記憶手段と、前記検出手段により検出された傾動角度と、前記記憶手段に記憶された認証情報とが一致するか否かを判定する判定手段と、を有することを特徴とする。なお、請求項７、８の発明は、請求項１の発明を方法及びコンピュータプログラムの観点から捉えたものである。
【００１１】
以上のような請求項１、７及び８の発明では、表示装置の傾動角度を認証情報として用いることができるので、表示装置の傾動角度を変えるという簡単な操作で、複雑な認証情報の入力が可能となるとともに、ユーザが覚え易い。
【００１２】
請求項２の発明は、請求項１の傾動式表示装置付電子機器において、前記判定手段により認証情報が一致しないと判定された場合には、電子機器の機能の一部若しくは全部を抑止し、認証情報が一致すると判定された場合には、電子機器の機能を有効とする機能制御部を有することを特徴とする。
【００１３】
以上のような請求項２の発明では、表示装置の傾斜角度により認証を受けなければ、電子機器を使用できなくなるが、盗難した者にとっては、認証情報の再現は困難であるため、セキュリティが向上する。
【００１４】
請求項３の発明は、請求項１又は請求項２の傾動式表示装置付電子機器において、前記記憶手段に記憶される認証情報は、前記検出手段により検出された傾動角度であることを特徴とする。
以上のような請求項３の発明では、表示装置の傾動角度を変えることによって、簡単に認証情報を設定できる。
【００１５】
請求項４の発明は、請求項１〜３のいずれか１項の傾動式表示装置付電子機器において、前記認証情報は、複数の傾動角度の組み合わせであることを特徴とする。
以上のような請求項４の発明では、傾動角度を複数組み合わせることによって、より強固なセキュリティを実現できる。
【００１６】
請求項５の発明は、請求項１〜４のいずれか１項の傾動表示装置付電子機器において、前記表示装置に、前記傾動角度の目安を表示させる表示制御手段を有することを特徴とする。
請求項６の発明は、請求項１〜５のいずれか１項の傾動表示装置付電子機器において、前記電子機器に、前記傾動角度の目安が付されていることを特徴とする。
【００１７】
以上のような請求項５、６の発明では、ユーザは、目安を見ながら、表示装置の傾動角度を変えることができるので、表示装置の位置を確認しやすく、認証情報の入力が容易となる。
【発明の効果】
【００１８】
以上のような本発明によれば、少ない操作で複雑な認証情報を入力でき、認証情報をユーザが記憶しやすい傾動式表示装置付電子機器、その制御方法及び制御プログラムを提供できる。
【発明を実施するための最良の形態】
【００１９】
以下に、本発明を適用した表示装置付電子機器の一つの実施の形態（以下、本実施形態とする）について、図面を参照して具体的に説明する。
【００２０】
［実施形態の構成］
［電子機器］
まず、本実施形態が適用される電子機器の構成を説明する。すなわち、本実施形態は、図１及び図２に示すように、車載用電子機器の本体１０と、ディスプレイ１２、オープンキー１３及びクローズキー１４等を備えた表示パネル１１とを有している。
【００２１】
表示パネル１１は、本体１０の前面に、垂直方向に立ち上がる閉状態と、傾斜しながら水平方向に倒れる開状態との間を、図示しない駆動機構によって変位可能に構成されている。この駆動機構は、モータ１１０（図３参照）によって作動するが、その具体的構成は、種々考えられるものであり、説明は省略する。
【００２２】
また、図示はしないが、表示パネル１１に設けられたスイッチ、リモコン等は、電子機器の操作に必要な入力を行う入力手段として機能する。ディスプレイ１２は、そのような入力手段としてのタッチパネルの機能を有しているものとする。
【００２３】
また、表示パネル１１及び本体１０には、表示パネル１１の角度を検出する角度検出部１２０を備えている。この角度検出部１２０は、例えば、角度情報を電圧値として検出する半固定抵抗等が考えられる。但し、角度検出部１２０は、駆動機構の構成に応じて表示パネル１１の角度が検出できるものであれば、どのようなセンサでもよい。ラックやアームの移動量、ギアやシャフトの回動量等を、機械的若しくは光学的に検出可能なもの等が適用可能である。
【００２４】
［制御装置］
次に、上記の各部を制御する制御装置の構成を説明する。すなわち、図５に示すように、制御装置１００は、開閉指示部１０１、表示制御部１０２、角度判定部１０３、記憶部１０４、比較部１０５、判定部１０６、機能制御部１０７等を有している。
【００２５】
開閉指示部１０１は、オープンキー１３及びクローズキー１４の操作入力に応じて、モータ１１０に表示パネル１１の開閉動作を指示する手段である。表示制御部１０２は、表示パネル１１の角度の目安となる画面を、ディスプレイ１２に表示させる手段である。この画面は、例えば、図４に示すように、背景画像１２ａ、角度を画面上の位置で示す角度位置表示バー１２ｂ（図中、黒帯部分）、同一角度位置の許容範囲を示す帯状表示１２ｃ（図中、網掛け部分）等が考えられ、あらかじめメモリ、ハードディスク等に記憶されたものを用いることができる。
【００２６】
角度判定部１０３は、角度検出部１２０により検出された情報に基づいて、表示パネル１１の角度を判定する手段である。記憶部１０４は、認証のための盗難防止コードである角度位置を記憶するメモリである。本実施形態においては、４つの角度位置を組み合わせた盗難防止コードを用いるものとする。
【００２７】
比較部１０５は、角度検出部１２０から入力された角度と、記憶部１０１に記憶された盗難防止コードとを比較する手段である。判定部１０６は、比較部により比較された角度が、所定の許容範囲内か否かを判定する手段である。機能制御部１０５は、バッテリー電源が外されたことを検出して、盗難状態にあるとして、電子機器の機能を抑止して、使用できなくする手段である。この機能制御部１０５は、判定部１０６の判定結果に応じて、機能の抑止による盗難状態からの解除も行う。
【００２８】
なお、制御装置１００は、例えば、専用の電子回路若しくは所定のプログラムで動作するコンピュータ等によって実現できる。従って、以下に説明する手順で本装置の動作を制御するためのコンピュータプログラム及びこれを記録した記録媒体も、本発明の一態様である。
【００２９】
［実施形態の作用］
［盗難防止コードの設定］
まず、あらかじめユーザが、盗難防止コードを入力して設定する手順を、図５のフローチャートを参照して説明する。まず、入力手段を用いて、盗難防止コード入力モードに移行させると、表示制御部１０２が、盗難防止コード入力画面を、ディスプレイ１２に表示させる（ステップ５０１）。
【００３０】
盗難防止コードを初めて設定する場合には、まだコードは入力されていないので（ステップ５０２）、まず、図４に示すように、盗難防止コード入力画面の背景画像１２ａが選択されて表示される。また、角度の組合せ数に相当する入力回数を表す変数Ｎを初期化する（ステップ５０５）。
【００３１】
ユーザが、オープンキー１３若しくはクローズキー１４を押すことにより、開閉指示部１０１が、表示パネル１１の開動作若しくは閉動作を開始させる（ステップ５０６、５０７）。このとき、表示パネル１１の角度が、角度検出部１２０により検出され、角度判定部１３０により判定される。また、表示制御部１０２は、図４に示すように、判定された角度に対応する位置に、角度位置表示バー１２ｂ及び帯状表示１２ｃを色分け表示させる（ステップ５０８）。
【００３２】
ユーザが、所望の角度において、オープンキー１３若しくはクローズキー１４を離すと（ステップ５０９）、開閉指示部１０１が、表示パネル１１の動作を停止させる（ステップ５１０）。このように停止させた際の角度がメモリに一時記憶される。変数Ｎがインクリメントされ（ステップ５１１）、その値が４に達していない場合には（ステップ５１２）、上記のステップ５０６〜５１１の処理を繰り返す。
【００３３】
変数Ｎが４に達した場合には（ステップ５１２）、４つの角度の組合せからなる盗難防止コードがメモリに格納される（ステップ５１３）。これにより、盗難防止コードの入力を終了する。
【００３４】
なお、ステップ５０２で、既に盗難防止コードが入力済となっていた場合には、後述する盗難防止解除操作によって、コード入力による確認が行われ（ステップ５０３）、入力された角度がメモリと全て一致した場合にのみ（ステップ５０４）、盗難防止コード入力処理に移行できる。
【００３５】
［盗難状態］
次に、盗難された場合の盗難状態への移行処理を、図６のフローチャートを参照して説明する。すなわち、電子機器が動作可能状態にある場合に（ステップ６０１）、盗難によりバッテリー電源が外されると（ステップ６０２）、機能制御部１０７が、盗難状態と判定して（ステップ６０３）、盗難防止コードによる認証を受けない限り、電子機器を使用できないように機能を抑止する（ステップ６０４）。
【００３６】
［盗難状態解除処理］
さらに、盗難状態の解除処理の手順を、図７のフローチャートを参照して説明する。すなわち、バッテリー電源が接続された状態で、電源スイッチを入れると（ステップ７０１）、盗難状態となっている場合には（ステップ７０２）、表示制御部１０２が、盗難防止解除入力要求画面を表示させる（ステップ７０３）。これは、例えば、ユーザが盗難防止コードを思い出し易く、入力し易くするために、設定時と同様の画面、例えば、図４に示すようなものとする。
【００３７】
ユーザが、オープンキー１３若しくはクローズキー１４を押すことにより、開閉指示部１０１が、表示パネル１１の開動作若しくは閉動作を開始させる（ステップ７０４、７０５）。このとき、表示パネル１１の角度が、角度検出部１２０により検出され、角度判定部１３０により判定される。また、表示制御部１０２は、図４に示すように、判定された角度に対応する位置に、角度位置表示バー１２ｂ及び帯状表示１２ｃを色分け表示させる（ステップ７０６）。
【００３８】
ユーザが、所望の角度において、オープンキー１３若しくはクローズキー１４を離すと（ステップ７０７）、開閉指示部１０１が、表示パネル１１の動作を停止させる（ステップ７０８）。このように停止させた際の角度がメモリに一時記憶される。変数Ｎがインクリメントされ（ステップ７０９）、その値が４に達していない場合には（ステップ７１０）、上記のステップ７０４〜７０９の処理を繰り返す。
【００３９】
変数Ｎが４に達した場合には（ステップ７１０）、あらかじめメモリに格納された盗難防止コードと入力された角度とを比較部１０５が比較した結果に基づいて、判定部１０６が４回の位置が全て許容範囲内にあるかどうかを判定する（ステップ７１１）。許容範囲内にある場合には、機能制御部１０７は、抑止していた機能を使用できるようにして、盗難状態を解除する（ステップ７１２）。これにより、通常動作が可能となる。
【００４０】
４回の位置のうち、少なくとも１回が許容範囲外の場合には（ステップ７１１）、再度、入力を促し、正しい盗難防止コードが入力されない限り、使用可能とはならない（ステップ７０３〜７１１）。また、ステップ７０２において、盗難状態にないと判定された場合には、そのまま、通常動作が可能となる。
【００４１】
［実施形態の効果］
以上のような本実施形態によれば、表示パネル１１の角度を認証情報として用いることができるので、表示パネル１１の角度を変えるという簡単な操作で、複雑な盗難防止コードの入力が可能となるとともに、ユーザにとっては覚え易く、思い出し易い盗難防止コードとなる。
【００４２】
特に、入力作業は、ディスプレイ１２に表示された背景画像１２ａ、角度位置表示バー１２ｂ、帯状表示１２ｃを目安とすることができるので、具体的な数値で記憶するよりも、便利である。また、厳密に数値が一致していなくても、所定の許容範囲内にある場合には、角度が一致していると判定するので、解除のための入力がし易い。
【００４３】
一方、盗難した者にとっては、複数回の角度を再現することは、非常に困難であり、場合によっては、角度を変えることにより認証を受けることすら思いつかないことも考えられるため、セキュリティが向上する。
【００４４】
［他の実施形態］
本発明は、上記のような実施形態に限定されるものではない。盗難防止コードを入力する際の目安となるインタフェースは、上記の実施形態で例示した態様には限定されない。例えば、図８に示すように、複数の領域が、それぞれ所定の範囲の角度を意味するようにして、いずれかの領域が区別表示（色分け、発光等）しているかによって、表示装置がどの角度にあるのかの目安としてもよい。この表示は、帯状には限定されず、複数の図形、図柄、キャラクター等でもよく、それらの並べ方も自由である。ユーザが入力した所望の画像等を利用できるようにしてもよい。
【００４５】
表示装置の動作によって角度を入力する場合、動作の停止により即座にその角度が入力されるのではなく、停止させてから入力手段による入力指示があった後、若しくは停止させてから所定時間経過した後、入力、記憶されるようにしてもよい。
【００４６】
また、角度を数値で表示してもよい。その数値を覚えておき、その数値に合うように表示装置の角度を変えることにより、認証を受けるようにしてもよい。その数値を入力することにより認証を受けられるようにしてもよい。表示若しくは設定する数値の桁数をどこまで詳細とするか、どの範囲を同一の角度と判定するかも自由である。
【００４７】
また、表示装置側に、角度の目安となるものを設けてもよい。例えば、図９に示すように、表示パネル１１が開方向に移動した際に露出する電子機器の本体１０の前面１５に、目盛り１５ｂ若しくは図柄１５ｃを設け、表示パネル１１側の補助器１１ａが、目盛り１５ｂ若しくは図柄１５ｃのどの位置を指しているかを目安としてもよい。なお、図９において、１５ａは、ディスクの挿入口である。
【００４８】
また、表示装置を開閉させる機構は、種々のものが適用可能であり、特定の機構には限定されない。開閉時の表示装置の態様についても自由である。例えば、閉状態の表示装置が、機器内に収納されてしまうものであってもよい。
【００４９】
また、上記の実施形態では、複数の角度の組合せによって認証する設定としたが、これを１回だけとすることもできる。複数回の角度は、その順番も一致しなければ解除できないようにしてもよいし、順番は一致していなくても、各角度が一致していれば、解除できるようにしてもよい。角度が一致しているかどうかを判定する場合の所定の許容範囲内の設定も自由である。
【００５０】
また、上記の実施形態では、正しい盗難防止コードが入力できるまで、何度も試行できたが、一度若しくは複数回認証に失敗した場合には、盗難防止状態を解除できなくする設定することもできる。盗難防止状態とした場合に抑止する機能は、機器の全部若しくは一部であってもよい。
【００５１】
さらに、本発明は、車載用の電子機器に適しているが、これに限定されるものではなく、角度を変える機能を有する表示装置を備える電気・電子その他の機器に広く適用可能である。従って、据置型、ポータブル型等、種々の装置にも適用可能である。例えば、ノートブック型のパーソナルコンピュータに適用して、ディスプレイの角度による認証を受けられるようにしてもよい。
【図面の簡単な説明】
【００５２】
【図１】本発明の一実施形態の表示パネル閉状態を示す正面側斜視図である。
【図２】図１の実施形態の表示パネル開動作を示す側面図である。
【図３】図１の実施形態の制御装置を示すブロック図である。
【図４】図１の実施形態のディスプレイの表示例を示す説明図である。
【図５】図１の実施形態の盗難防止コード入力処理手順を示すフローチャートである。
【図６】図１の実施形態の盗難状態への移行処理手順を示すフローチャートである。
【図７】図１の実施形態の盗難状態の解除処理手順を示すフローチャートである。
【図８】本発明の他の実施形態のディスプレイの表示例を示す説明図である。
【図９】本発明の他の実施形態を示す正面側斜視図である。
【符号の説明】
【００５３】
１０…本体
１１…表示パネル
１１ａ…補助器
１２…ディスプレイ
１２ａ…背景画像
１２ｂ…角度位置表示バー
１２ｃ…帯状表示
１３…オープンキー
１４…クローズキー
１５…前面
１５ａ…ディスク挿入口
１５ｂ…目盛り
１５ｃ…図柄
１００…制御装置
１０１…開閉指示部
１０１…記憶部
１０２…表示制御部
１０３…角度判定部
１０４…記憶部
１０５…比較部
１０６…判定部
１０７…機能制御部
１１０…モータ
１２０…角度検出部
１３０…角度判定部
【図１】
2008247306.tif 000003
【図２】
2008247306.tif 000004
【図３】
2008247306.tif 000005
【図５】
2008247306.tif 000006
【図６】
2008247306.tif 000007
【図７】
2008247306.tif 000008
【図８】
2008247306.tif 000009
【図４】
2008247306.tif 000010
【図９】
2008247306.tif 000011